(57)【要約】【課題】  無線リモートコントロール多用途電気メーターの提供。【解決手段】  信号発射機と信号受信機を具え、測定した信号を信号変換器で判読可能なデジタル信号に変換し、更に無線伝送方式で、該デジタル信号を信号受信機に伝送し並びに表示し、製品の実用性、便利性を増し、並びに測定作業の安全性を増した無線リモートコントロール多用途電気メーターである。【選択図】        図４
0003106979.tif 000002
【実用新案登録請求の範囲】
【請求項１】
信号発射機及び信号受信機で組成され、該信号発射機は測定した信号を信号変換器に送り、判読可能なデジタル信号に変換してディスプレイに伝送し、並びに測定した信号を直接数値で表示する無線リモートコントロール測定多用途電気メーターにおいて、
該デジタル信号を同時に変調器に送り、一方で高周波発信器の発生する搬送周波数で変調器に送りデジタル信号を変調して変調信号となし、高周波増幅器で増幅した後に信号発射機の伝送アンテナで無線電波信号を伝送し、該信号受信機は、高周波増幅器、復調器、デコーダ、ディスプレイ及び出力信号端子で組成され、前述の伝送アンテナより伝送された信号を信号受信機で受信して受信した受信信号を高周波増幅器で増幅し、復調器で験波し、この験波により変調後の信号より判読可能なデジタル信号を獲得し、復調したデジタル信号をデコーダ内に置いて、信号をデコード、変換した後に、ディスプレイに測定数値を表示し、この出力信号端子がデコーダ内の信号を出力可能とされたことを特徴とする、無線リモートコントロール測定多用途電気メーター。
【考案の詳細な説明】
【技術分野】
【０００１】
本考案は一種の無線リモートコントロール多用途電気メーターに係り、特に、電流（Ａ）、電圧（Ｖ）、抵抗（Ω）、キャパシタンス（Ｈ）、インダクタンス（Ｌ）等の信号を測定するのに広く使用され、無線伝送方式で、デンジタル信号を信号受信機に伝送する測定電気メーターに関する。
【背景技術】
【０００２】
一般に周知の電気メーターで電流を測定するには、図１の周知の電源回路の配置に示されるように、総電源箱（１０）において複数の分岐電源スイッチが分配され、該総電源箱（１０）の総負荷が、複数の分岐負荷（１１、１２、１３、１４、１５、１６）の総和とされる。よく見られる周知の電流測定方式は、総電源箱（１０）付近で、電気測定メーター（２）で測定し、この周知の電気測定メーター（２）は、フックメーター或いはクランプメーターと称される。図２も参照されたいが、電気測定メーター（２）は、電流測定クランプリング（２１）、測定端子（２２）、電流電圧変換器（２３）、機能及びシフトセレクタ（２４）、ディスプレイ（２５）、信号変換器（２６）及び選択切り換えボタン（２７）で構成され、該電流測定クランプリング（２１）で測定した電流は電流電圧変換器（２３）を通り更に信号変換器（２６）に伝送されて判読可能な信号に変換され、並びにディスプレイ（２５）に伝送され、測定された信号が直接数値で表示される。上述の周知の電気測定メーター（２）の原理及び応用方法はこの周知であるため、詳しい説明は省略する。
【０００３】
周知の測定方式は、先ず各分岐電源スイッチを全部オンし、更に逐一各分岐電源スイッチを切断し、各分岐電源スイッチにかかる電流負荷量がいくらであるかを測定するか、或いはそれと反対の操作モードで、先ず全ての分岐電源スイッチをオフした後に、逐一オンする測定方式で測定される。総電源箱（１０）の各分岐電源スイッチの間の距離が遠過ぎる時、少なくとも一人が総電源箱（１０）で電気測定メーター（２）を観測し、もう一人が各分岐電源スイッチ部分でスイッチを切り換えなければならず、作業を二人以上で操作しなければならない問題がある。また、二人で操作して測定作業を行なうと、コミュニケーションの連繋において距離が遠過ぎるためにエラーが発生しやすい。或いは非常に高いところを測定する場合、登ったり降りたりして測定するのは相当に面倒である。このほか、逐一各分岐電源スイッチを測定する時、未測定の分岐電源は、他人がいずれかの電器設備をオン或いはオフする時に、不確定の変動状態を形成するため、測定値の誤差を形成する。
【０００４】
周知の電気測定メーター（２）は、電流（Ａ）或いは電圧（Ｖ）を測定する時、測定員が被測定設備の近距離で測定するため、測定作業に極めて高い危険性がある。
周知の製品に存在する欠点を克服し、使用上、更に便利とするため、本考案は提供されるものである。
【考案の開示】
【考案が解決しようとする課題】
【０００５】
本考案の主要な目的は、一種の無線リモートコントロール多用途電気メーターを提供することにあり、それは、測定した信号を、信号変換器で判読できるデジタル信号に変換した後、無線伝送方式で、該デジタル信号を信号受信機に伝送し並びに表示し、製品の実用性、便利性を増し、測定作業の安全性を増すものとする。
【０００６】
本考案は、使用者の要求に応じて、選択切り換えボタンを測定する機能、例えば電圧（Ｖ）、抵抗（Ω）、キャパシタンス（Ｈ）、インダクタンス（Ｌ）等にシフトでき、測定端子が測定したデジタル信号を、無線伝送方式で読み取る。
【課題を解決するための手段】
【０００７】
請求項１の考案は、信号発射機及び信号受信機で組成され、該信号発射機は測定した信号を信号変換器に送り、判読可能なデジタル信号に変換してディスプレイに伝送し、並びに測定した信号を直接数値で表示する無線リモートコントロール測定多用途電気メーターにおいて、
該デジタル信号を同時に変調器に送り、一方で高周波発信器の発生する搬送周波数で変調器に送りデジタル信号を変調して変調信号となし、高周波増幅器で増幅した後に信号発射機の伝送アンテナで無線電波信号を伝送し、該信号受信機は、高周波増幅器、復調器、デコーダ、ディスプレイ及び出力信号端子で組成され、前述の伝送アンテナより伝送された信号を信号受信機で受信して受信した受信信号を高周波増幅器で増幅し、復調器で験波し、この験波により変調後の信号より判読可能なデジタル信号を獲得し、復調したデジタル信号をデコーダ内に置いて、信号をデコード、変換した後に、ディスプレイに測定数値を表示し、この出力信号端子がデコーダ内の信号を出力可能とされたことを特徴とする、無線リモートコントロール測定多用途電気メーターとしている。
【考案の効果】
【０００８】
本考案の無線リモートコントロール多用途電気メーターを提供することにあり、それは、測定した信号を、信号変換器で判読できるデジタル信号に変換した後、無線伝送方式で、該デジタル信号を信号受信機に伝送し並びに表示し、製品の実用性、便利性を増し、測定作業の安全性を増すことができる。
【考案を実施するための最良の形態】
【０００９】
本考案の無線リモートコントロール測定多用途電気メーターは、図３に示されるように、信号発射機（３）及び信号受信機（５）で組成され、そのうち、信号発射機（３）は図４に示されるように、電流測定クランプリング（３１）、測定端子（３２）、電流電圧変換器（３３）、機能及びシフトセレクタ（３４）、ディスプレイ（３５）、信号変換器（３６）、選択切り換えボタン（３７）、変調器（３８）、高周波発信器（３９）、高周波増幅器（３０）、伝送アンテナ（４４）及び電源（４５）で構成されている。本考案は使用者の要求に応じて、選択切り換えボタン（３７）を測定したい機能に調整し、これにより電流（Ａ）を測定する時は以下のように説明される。
【００１０】
該電流測定クランプリング（３１）の測定した電流値信号は、電流電圧変換器（３３）と機能及びシフトセレクタ（３４）を経由し、信号変換器（３６）に送られ、判読可能なデジタル信号（４１）に変換され、ディスプレイ（３５）に伝送され、並びに同時に測定されたデジタル信号（４１）は変調器（３８）に送られ、一方で高周波発信器（３９）の発生する搬送周波数（４２）で変調器（３８）に送られてデジタル信号（４１）が変調された後、変調信号（４３）とされ、高周波増幅器（３０）で増幅された後、伝送アンテナ（４４）より無線電波信号として送出される。
【００１１】
図５は信号受信機（５）を示し、それは、受信アンテナ（５１）、高周波増幅器（５２）、復調器（５４）、デコーダ（５６）、ディスプレイ（５７）、出力信号端子（５８）及び電源（５９）で構成されている。前述のようにして伝送された信号は受信アンテナ（５１）に受信されて受信信号（５３）とされ、高周波増幅器（５２）で増幅され、復調器（５４）で験波され、この験波により変調後の信号から判読可能なデジタル信号（５５）が得られ、復調されたデジタル信号（５５）がデコーダ（５６）内に置かれ、信号がデコード、変換された後に、ディスプレイ（５７）に測定値が表示される。
【００１２】
本考案はまた出力信号端子（５８）によりデジタル信号（５５）を直接他の関係設備に出力でき、更にこの測定により得られた信号を利用できる。
【００１３】
本考案は信号発射機（３）で測定した信号を、信号変換器で判読可能なデジタル信号に変換し、更に無線伝送方式でこの信号を信号受信機（５）に自動的に発射伝送するか強制的に瞬間発射する。本考案は遠距離無線式分離設置を採用するため、信号発射機（３）を先ず被測定設備部分に置き、操作者は遠距離にいることができ、別に信号受信機（５）を具えて無線伝送方式で測定結果を読み取ることができる。ゆえに周知の技術の被測定設備の近距離で測定する方式に較べ、本考案は受信機を一箇所又は数箇所に設置することによって、二人以上が同時に測定結果を個別に監視でき、実用性、便利性を具え、並びに測定の安全性が増されている。
【００１４】
以上の説明は、本考案の電流（Ａ）測定の実施例の説明であるが、本考案は使用者の必要に応じて、選択切り換えボタン（３７）を測定したい機能にシフトでき、例えば電圧（Ｖ）、抵抗（Ω）、キャパシタンス（Ｈ）、インダクタンス（Ｌ）等にシフトでき、また測定端子（３２）で測定した信号を無線伝送方式で伝送して測定結果を読み取ることができる。しかし前述の実施例は本考案の請求範囲を限定するものではなく、本考案に基づきなしうる細部の修飾或いは改変は、いずれも本考案の請求範囲に属するものとする。
【００１５】
本考案は空間形態上、新規性を有し、従来の技術よりも高い実用機能と安全性を発揮でき、利用価値を有し、また未だ同類或いは近似の物品に本考案と同じ或いは類似の構造の記載はない。
【図面の簡単な説明】
【００１６】
【図１】周知の測定状態表示図である。
【図２】周知の電気測定メーターの構造ブロック図である。
【図３】本考案の構造ブロック図である。
【図４】本考案の構造ブロック図である。
【図５】本考案の構造ブロック図である。
【符号の説明】
【００１７】
１０  総電源箱                                １１  分岐負荷
１２  分岐負荷                                １３  分岐負荷
１４  分岐負荷                                １５  分岐負荷
１６  分岐負荷                                ２  電気測定メーター
２１  電流測定クランプリング                  ２２  測定端子
２３  電流電圧変換器                          ２４  機能及びシフトセレクタ
２５  ディスプレイ                            ２６  信号変換器
２７  選択切り換えボタン                      ３  信号発射機
３１  電流測定クランプリング                  ３２  測定端子
３３  電流電圧変換器                          ３４  機能及びシフトセレクタ
３５  ディスプレイ                            ３６  信号変換器
３７  選択切り換えボタン                      ３８  変調器
３９  高周波発信器                            ３０  高周波増幅器
４１  デジタル信号                            ４２  搬送周波数
４３  変調信号                                ４４  伝送アンテナ
４５  電源                                    ５  信号受信機
５１  受信アンテナ                            ５２  高周波増幅器
５３  受信信号                                ５４  復調器
５５  デジタル信号                            ５６  デコーダ
５７  ディスプレイ                            ５８  出力信号端子
５９  電源                                    Ａ  電流
Ｖ  電圧                                      Ω  抵抗
Ｈ  キャパシタンス                            Ｌ  インダクタンス
【図１】
0003106979.tif 000003
【図２】
0003106979.tif 000004
【図３】
0003106979.tif 000005
【図４】
0003106979.tif 000006
【図５】
0003106979.tif 000007